(57)【要約】      （修正有）【目的】構造を強化したテント骨組み及びその中心強化構造を提供する。【解決手段】構造を強化したテント骨組み及びその中心強化構造を公開しており、テント骨組みは、第一のターポリンポール５と第二のターポリンポール６をそれぞれ４本有し、４本の第二のターポリンポールといずれか１つの対角の２本の第一のターポリンポールは、支持ロッド８に接続され、支持ロッドの他端は、下ディスク部１２をヒンジ連結し、下ディスク部と上ディスク部９の間に伸縮位置限定ロッドが設けられる。上ディスク部と下ディスク部の間に、伸縮位置限定ロッドを設けることで、テント骨組みをまとめたり、広げたりする時に、上部が傾斜せず、骨組みの安定性が高い。【選択図】図１
0003221516.tif 000002
【実用新案登録請求の範囲】
【請求項１】
４本の柱（１）と、前記柱（１）に設けられるコネクタ部（７）及びスライド部（２）と、前記コネクタ部（７）にヒンジ連結される第一のターポリンポール（５）と、前記第一のターポリンポール（５）の他端にヒンジ連結される上ディスク部（９）と、前記第一のターポリンポール（５）に更にヒンジ連結される補助支持ロッド（４）と、前記補助支持ロッド（４）の他端にヒンジ連結されるスライド部（２）と、隣接する前記柱（１）の間に設けられるヒンジ連結ビーム（３）と、前記ヒンジ連結ビーム（３）の各端がそれぞれ前記柱（１）の前記コネクタ部（７）及び前記スライド部（２）に接続され、前記ヒンジ連結ビーム（３）のヒンジ連結点にヒンジ連結される第二のターポリンポール（６）と、前記第二のターポリンポール（６）の他端にヒンジ連結される上ディスク部（９）と、を含み、前記第一のターポリンポール（５）と前記第二のターポリンポール（６）のそれぞれは４本である、構造を強化したテント骨組であって、
４本の前記第二のターポリンポール（６）といずれか１つの対角の２本の前記第一のターポリンポール（５）は、支持ロッド（８）に接続され、前記支持ロッド（８）の他端は、下ディスク部（１２）をヒンジ連結し、前記下ディスク部（１２）と前記上ディスク部（９）の間に伸縮位置限定ロッドが設けられることを特徴とする構造を強化したテント骨組。
【請求項２】
前記伸縮位置限定ロッドは、前記上ディスク部（９）と固定される第一の位置限定ロッド（１０）と、前記下ディスク部（１２）と固定される第二の位置限定ロッド（１１）と、を含み、前記第二の位置限定ロッド（１１）は、前記第一の位置限定ロッド（１０）外に環装され、前記第一の位置限定ロッド（１０）は、前記第二の位置限定ロッド（１１）内で上下に動くことができることを特徴とする請求項１に記載の構造を強化したテント骨組。
【請求項３】
前記伸縮位置限定ロッドは、前記上ディスク部（９）と固定される第一の位置限定ロッド（１０）と、前記下ディスク部（１２）と固定される第二の位置限定ロッド（１１）と、を含み、前記第一の位置限定ロッド（１０）は、前記第二の位置限定ロッド（１１）外に環装され、前記第二の位置限定ロッド（１１）は、前記第一の位置限定ロッド（１０）内で上下に動くことができることを特徴とする請求項１に記載の構造を強化したテント骨組。
【請求項４】
前記第一の位置限定ロッド（１０）または第二の位置限定ロッド（１１）は、多関節伸縮ロッド構造であることを特徴とする請求項２または３に記載の構造を強化したテント骨組。
【請求項５】
前記第一の位置限定ロッド（１０）の底部または前記第二の位置限定ロッド（１１）の上部に、前記第二の位置限定ロッド（１１）が前記第一の位置限定ロッド（１０）から脱出するのを防止する位置限定構造が設けられることを特徴とする請求項２または３に記載の構造を強化したテント骨組。
【請求項６】
第一のターポリンポール（５）、第二のターポリンポール（６）、支持ロッド（８）、上ディスク部（９）及び下ディスク部（１２）を含み、前記第一のターポリンポール（５）と前記第二のターポリンポール（６）のそれぞれは４本であり、前記第一のターポリンポール（５）と前記第二のターポリンポール（６）はいずれも前記上ディスク部（９）にヒンジ連結するように配置される構造を強化したテント骨組みの中心強化構造であって、
４本の前記第二のターポリンポール（６）といずれか１つの対角の２本の前記第一のターポリンポール（５）は、支持ロッド（８）に接続され、前記支持ロッド（８）の他端は、前記下ディスク部（１２）をヒンジ連結し、前記下ディスク部（１２）と前記上ディスク部（９）の間に伸縮位置限定ロッドが設けられることを特徴とする構造を強化したテント骨組みの中心強化構造。
【請求項７】
前記伸縮位置限定ロッドは、前記上ディスク部（９）と固定される第一の位置限定ロッド（１０）と、前記下ディスク部（１２）と固定される第二の位置限定ロッド（１１）と、を含み、前記第二の位置限定ロッド（１１）は、前記第一の位置限定ロッド（１０）外に環装され、前記第一の位置限定ロッド（１０）は、前記第二の位置限定ロッド（１１）内で上下に動くことができることを特徴とする請求項６に記載の構造を強化したテント骨組みの中心強化構造。
【請求項８】
前記伸縮位置限定ロッドは、前記上ディスク部（９）と固定される第一の位置限定ロッド（１０）と、前記下ディスク部（１２）と固定される第二の位置限定ロッド（１１）と、を含み、前記第一の位置限定ロッド（１０）は、前記第二の位置限定ロッド（１１）外に環装され、前記第二の位置限定ロッド（１１）は、前記第一の位置限定ロッド（１０）内で上下に動くことができることを特徴とする請求項６に記載の構造を強化したテント骨組みの中心強化構造。
【請求項９】
前記第一の位置限定ロッド（１０）または前記第二の位置限定ロッド（１１）は、多関節伸縮ロッド構造であることを特徴とする請求項７または８に記載の構造を強化したテント骨組みの中心強化構造。
【請求項１０】
前記第一の位置限定ロッド（１０）の底部または前記第二の位置限定ロッド（１１）の上部に、前記第二の位置限定ロッド（１１）が前記第一の位置限定ロッド（１０）から脱出するのを防止する位置限定構造が設けられることを特徴とする請求項７または８に記載の構造を強化したテント骨組みの中心強化構造。
【考案の詳細な説明】
【技術分野】
【０００１】
本実用新案は、テントの技術分野に属し、具体的には、構造を強化したテント骨組み及びその中心強化構造に関する。
【背景技術】
【０００２】
テントは、日常生活で不可欠なアウトドア用品であり、通常、支持骨組みとターポリンを含み、携帯しやすくするために、支持骨組みは、通常、折り畳み可能な骨組み構造に設計されている。
【先行技術文献】
【特許文献】
【０００３】
【特許文献１】中国公告番号ＣＮ２０５９１８２２０Ｕ
【０００４】
実用新案文献１では、以下のことを公開している。レッグロッドと、ヒンジ連結ビームと、骨組み支持ロッドと、上ディスク部と、を含み、レッグロッドは、垂直に配し、その底部を介して地面に立ち、その上部を介して骨組み支持ロッドの一端にヒンジ連結し、骨組み支持ロッドの他端と上ディスク部が接続され、隣接する２本のレッグロッドの間の上部がヒンジ連結ビームによって接続される水溜まり防止のテント骨組みであって、プルロッドと上ディスク部支持ロッド部材を更に含み、プルロッドの一端は、上ディスク部とヒンジ連結し、他端は、ヒンジ連結ビームのヒンジ点とヒンジ連結し、上ディスク部支持ロッド部材は、上ディスク部の下方に位置し、それぞれが各骨組み支持ロッド及びプルロッドとヒンジ連結することを特徴とする。該明細書の内容及び図面から、該テントの下ディスク部は、いずれもプルロッド及び骨組み支持ロッドと一緒に接続されることがわかる。上記構造を採用すると、取り付け時に、各プルロッド及び骨組み支持ロッドは、いずれも下ディスク部と一緒に接続する必要があり、下ディスク部を薄くし、テント骨組みを不安定にし、一方で、取り付け構造は、複雑となり、取り付け及びメンテナンスに不便である。
【考案の概要】
【考案が解決しようとする課題】
【０００５】
背景技術に存在する課題について、本実用新案の目的は、構造を強化したテント骨組み及びその中心強化構造を提供する技術案に定められている。
【課題を解決するための手段】
【０００６】
本実用新案に係る構造を強化したテント骨組は、４本の柱と、前記柱に設けられるコネクタ部及びスライド部と、前記コネクタ部にヒンジ連結される第一のターポリンポールと、前記第一のターポリンポールの他端にヒンジ連結される上ディスク部と、前記第一のターポリンポールに更にヒンジ連結される補助支持ロッドと、前記補助支持ロッドの他端にヒンジ連結されるスライド部と、隣接する前記柱の間に設けられるヒンジ連結ビームと、前記ヒンジ連結ビームの各端がそれぞれ前記柱の前記コネクタ部及び前記スライド部に接続され、前記ヒンジ連結ビームのヒンジ連結点にヒンジ連結される第二のターポリンポールと、前記第二のターポリンポールの他端にヒンジ連結される上ディスク部と、を含み、前記第一のターポリンポールと前記第二のターポリンポールのそれぞれは４本である構造を強化したテント骨組であって、
４本の前記第二のターポリンポールといずれか１つの対角の２本の前記第一のターポリンポールは、支持ロッドに接続され、前記支持ロッドの他端は、下ディスク部をヒンジ連結し、前記下ディスク部と前記上ディスク部の間に伸縮位置限定ロッドが設けられることを特徴とする。
【０００７】
前記構造を強化したテント骨組であって、前記伸縮位置限定ロッドは、前記上ディスク部と固定される第一の位置限定ロッドと、前記下ディスク部と固定される第二の位置限定ロッドと、を含み、前記第二の位置限定ロッドは、前記第一の位置限定ロッド外に環装され、前記第一の位置限定ロッドは、前記第二の位置限定ロッド内で上下に動くことができることを特徴とする。
【０００８】
前記構造を強化したテント骨組であって、前記伸縮位置限定ロッドは、前記上ディスク部と固定される第一の位置限定ロッドと、前記下ディスク部と固定される第二の位置限定ロッドと、を含み、前記第一の位置限定ロッドは、前記第二の位置限定ロッド外に環装され、前記第二の位置限定ロッドは、前記第一の位置限定ロッド内で上下に動くことができることを特徴とする。
【０００９】
前記構造を強化したテント骨組であって、前記第一の位置限定ロッドまたは第二の位置限定ロッドは、多関節伸縮ロッド構造であることを特徴とする。
【００１０】
前記構造を強化したテント骨組であって、前記第一の位置限定ロッドの底部または前記第二の位置限定ロッドの上部に、前記第二の位置限定ロッドが前記第一の位置限定ロッドから脱出するのを防止する位置限定構造が設けられることを特徴とする。
【００１１】
本実用新案に係る構造を強化したテント骨組みの中心強化構造は、第一のターポリンポール、第二のターポリンポール、支持ロッド、上ディスク部及び下ディスク部と含み、前記第一のターポリンポールと前記第二のターポリンポールのそれぞれは４本であり、前記第一のターポリンポールと前記第二のターポリンポールはいずれも前記上ディスク部にヒンジ連結するように配置される構造を強化したテント骨組みの中心強化構造であって、
４本の前記第二のターポリンポールといずれか１つの対角の２本の前記第一のターポリンポールは、支持ロッドに接続され、前記支持ロッドの他端は、前記下ディスク部をヒンジ連結し、前記下ディスク部と前記上ディスク部の間に伸縮位置限定ロッドが設けられることを特徴とする。
【００１２】
前記構造を強化したテント骨組みの中心強化構造であって、前記伸縮位置限定ロッドは、前記上ディスク部と固定される第一の位置限定ロッドと、前記下ディスク部と固定される第二の位置限定ロッドと、を含み、前記第二の位置限定ロッドは、前記第一の位置限定ロッド外に環装され、前記第一の位置限定ロッドは、前記第二の位置限定ロッド内で上下に動くことができることを特徴とする。
【００１３】
前記構造を強化したテント骨組みの中心強化構造であって、前記伸縮位置限定ロッドは、前記上ディスク部と固定される第一の位置限定ロッドと、前記下ディスク部と固定される第二の位置限定ロッドと、を含み、前記第一の位置限定ロッドは、前記第二の位置限定ロッド外に環装され、前記第二の位置限定ロッドは、前記第一の位置限定ロッド内で上下に動くことができることを特徴とする。
【００１４】
前記構造を強化したテント骨組みの中心強化構造であって、前記第一の位置限定ロッドまたは前記第二の位置限定ロッドは、多関節伸縮ロッド構造であることを特徴とする。
【００１５】
前記構造を強化したテント骨組みの中心強化構造であって、前記第一の位置限定ロッドの底部または前記第二の位置限定ロッドの上部に、前記第二の位置限定ロッドが前記第一の位置限定ロッドから脱出するのを防止する位置限定構造が設けられることを特徴とする。
【考案の効果】
【００１６】
背景技術に対して、本実用新案は、以下の有益な効果を有する。
１）上ディスク部と下ディスク部の間に、伸縮位置限定ロッドを設け、テント骨組みをまとめたり、広げたりする時に、上部が傾斜せず、骨組みの安定性が高い。
２）下ディスク部において、第一のターポリンポールと第二のターポリンポールの接続数を低減し、下ディスク部自身の強固性が大きく向上し、また、第一のターポリンポールと第二のターポリンポールの接続数が低減することから、第一のターポリンポールと第二のターポリンポールの間の取り付けギャップが大きくなり、第一のターポリンポールと第二のターポリンポールの取り付けおよびメンテナンスがしやすくなる。
３）４本の第二のターポリンポールを追加することから、ターポリンが受ける力は更に多く分散され、テントの水溜まりを有効的に防止でき、同時に、辺縁のヒンジ結合は、第二のターポリンポールの支持式の介入により、強度は大きく向上する。
【図面の簡単な説明】
【００１７】
本考案の上述した特徴と利点を更に明確化するために、以下、幾つかの実施形態を挙げて図面と共に詳細な内容を説明する。
【００１８】
【図１】本実用新案の構造概略図である。
【図２】本実用新案の下ディスク部、伸縮位置限定ロッドと上ディスク部の分解立体概略図である。
【図３】本実用新案の伸縮位置限定ロッドの伸縮状態概略図である。
【図４】本実用新案の伸縮位置限定ロッドの他の実施方式の構造概略図である。
【図５】本実用新案の中心強化構造の構造概略図である。
【考案を実施するための形態】
【００１９】
以下に明細書図面と併せて本実用新案を更に説明する。
【００２０】
実施形態１
図１と２に示すように、構造を強化したテント骨組は、４本の柱１と、柱１上に設けられるコネクタ部７及びスライド部２と、を含み、ここで、コネクタ部７は、柱１の上部に固定され、スライド部２は、柱１上で柱１に対してスライド可能に環装される。コネクタ部７において第一のターポリンポール５をヒンジ連結し、第一のターポリンポール５の他端は、上ディスク部９をヒンジ連結する。第一のターポリンポール５において、更に補助支持ロッド４をヒンジ連結し、補助支持ロッド４の他端は、スライド部２をヒンジ連結する。第一のターポリンポール５は、２本以上のポールによってヒンジ連結されてなる。スライド部２のスライドによって、補助支持ロッド４を引っ張り、第一のターポリンポール５を引っ張って折り畳む。
【００２１】
隣接する柱１の間にヒンジ連結ビーム３が設けられ、ヒンジ連結ビーム３の各端は、いずれもそれぞれ柱１のコネクタ部７及びスライド部２に接続される。ヒンジ連結ビーム３のヒンジ連結点は、第二のターポリンポール６をヒンジ連結する。第二のターポリンポール６の他端は、上ディスク部９をヒンジ連結する。第二のターポリンポール６は、２本以上のポールによりヒンジ連結されてなる。スライド部２のスライドによって、ヒンジ連結ビーム３を引っ張って折り畳む。
【００２２】
第一のターポリンポール５と第二のターポリンポール６のそれぞれは４本であり、且つ、４本の第二のターポリンポール６といずれか１つの対角の２本の第一のターポリンポール５は、支持ロッド８に接続され、支持ロッド８の他端は、下ディスク部１２をヒンジ連結し、下ディスク部１２と上ディスク部９の間に伸縮位置限定ロッドが設けられる。
【００２３】
本実用新案は、伸縮位置限定ロッドを用いて、第二のターポリンポール６の開閉方向を制御し、第二のターポリンポール６の受ける力を第一のターポリンポール５に均一にフィードバックして、全体的に安定して支持する目的を達成できる。
【００２４】
第一の実施方式として、伸縮位置限定ロッドは、上ディスク部９と固定される第一の位置限定ロッド１０と、下ディスク部１２と固定される第二の位置限定ロッド１１と、を含み、第一の位置限定ロッド１０の外径は、第二の位置限定ロッド１１の内径より小さく、第二の位置限定ロッド１１は、第一の位置限定ロッド１０外に環装され、第一の位置限定ロッド１０は、第二の位置限定ロッド１１内で上下に動くことができる。
【００２５】
第二の実施方式として、伸縮位置限定ロッドは、上ディスク部９と固定される第一の位置限定ロッド１０と、下ディスク部１２と固定される第二の位置限定ロッド１１と、を含み、第一の位置限定ロッド１０の内径は、第二の位置限定ロッド１１の外径より大きく、第一の位置限定ロッド１０は、第二の位置限定ロッド１１外に環装され、第二の位置限定ロッド１１は、第一の位置限定ロッド１０内で上下に動くことができる。
【００２６】
図３に示すように、上記２つの実施方式を採用すると、以下の特徴をもたらすことができる。第一の位置限定ロッド１０の両端をそれぞれＡ、Ｂと標記し、第二の位置限定ロッド１１の両端をそれぞれＣ、Ｄと標記すると仮定すると、取り付け後、ＡＤが最短距離の時、折り畳みテントは、完全に開いた状態であり、ＡＤが長くなって延びると、折り畳みテントは、折り畳み収縮を徐々に完了し始める。折り畳みテントは、完全に折り畳み収縮した後、ＡＤ間の距離は、使用状態下で最も長くなり、この状態下で、ＡＤ間の距離は、ＡＢサイズ＋ＣＤサイズの合計より小さくすることは必須であり、第一の位置限定ロッド１０と第二の位置限定ロッド１１が脱出しないようにする。第一の位置限定ロッド１０と第二の位置限定ロッド１１を追加する作用は、下ディスク部１２とターポリンポールとの安定性を強化するためであり、第一の位置限定ロッド１０と第二の位置限定ロッド１１の間は、軸方向だけに動くことができ、その径方向の動きは、第一の位置限定ロッド１０の外径と第二の位置限定ロッド１１の内径の間の隙間の大きさによって決まり、理論上、隙間は小さいほど位置限定効果は良くなる。
【００２７】
図４に示すように、伸縮位置限定ロッドは、第一の及び第二の実施方式に基づき、第一の位置限定ロッド１０または第二の位置限定ロッド１１を多関節伸縮ロッド構造とする。
【００２８】
上記実施形態において、第一の位置限定ロッド１０の底部または第二の位置限定ロッド１１の上部に、第二の位置限定ロッド１１が第一の位置限定ロッド１０から脱出するのを防止する位置限定構造が設けられる。位置限定構造は、傘の伸縮ロッドの位置限定構造のような、背景技術における様々な位置限定構造が採用される。第一の位置限定ロッド１０と第二の位置限定ロッド１１の直径の間の変更等のような第一の位置限定ロッド１０と第二の位置限定ロッド１１自身の構造によって位置限定してもよい。
【００２９】
実施形態２
図５に示すように、本実用新案は、構造を強化したテント骨組みの中心強化構造を更に提供する。該構造は、第一のターポリンポール５と、第二のターポリンポール６と、支持ロッド８と、上ディスク部９と、下ディスク部１２と、を含む。第一のターポリンポール５と第二のターポリンポール６は、それぞれ４本である。第一のターポリンポール５と第二のターポリンポール６は、いずれも上ディスク部９とヒンジ連結するように配置される。ここで、４本の第二のターポリンポール６といずれか１つの対角の２本の第一のターポリンポール５は、支持ロッド８に接続され、支持ロッド８の他端は、下ディスク部１２をヒンジ連結し、下ディスク部１２と上ディスク部９の間に伸縮位置限定ロッドが設けられる。伸縮位置限定ロッド構造は、実施例１に示したとおりであり、ここでは、繰り返さない。
【００３０】
該中心強化構造は、伸縮位置限定ロッドを用いて、第二のターポリンポール６の開閉方向を制御し、第二のターポリンポール６の受ける力を第一のターポリンポール５に均一にフィードバックして、全体的に安定して支持する目的を達成できる。
【００３１】
最後に説明するのは、上記各実施形態は、本実用新案の技術案を説明するためだけのものであり、本実用新案を限定するものではない。上記各実施形態を参照して、本実用新案の詳細な説明を行っているが、当業者は、上記各実施形態に記載の技術案を補正、又は、その一部若しくは全ての技術的特徴を同等の置換を行ってもよく、これらの補正又は置換は、対応する技術案の本質を、本実用新案の各実施形態の技術案の範囲から外させないことを理解できる。
【産業上の利用可能性】
【００３２】
本実用新案は、構造を強化したテント骨組み及びその中心強化構造を提供する。
【符号の説明】
【００３３】
１：柱
２：スライド部
３：ヒンジ連結ビーム
４：補助支持ロッド
５：第一のターポリンポール
６：第二のターポリンポール
７：コネクタ部
８：支持ロッド
９：上ディスク部
１０：第一の位置限定ロッド
１１：第二の位置限定ロッド
１２：下ディスク部
【図１】
0003221516.tif 000003
【図２】
0003221516.tif 000004
【図３】
0003221516.tif 000005
【図４】
0003221516.tif 000006
【図５】
0003221516.tif 000007